(57)【要約】【課題】固液分離後の廃液の処理効率を向上させるとともに余剰汚泥の発生量を低減させながらも、固液分離された固形分の発生量を低減させることができる廃水処理設備を提供する。【解決手段】浄化槽汚泥を受け入れる浄化槽汚泥受入槽１０と、浄化槽汚泥受入槽に受け入れられた有機性廃水を脱水処理する脱水設備１３と、脱水設備で固液分離された有機性廃水を微生物によって生物処理する生物処理設備１５，１６とを備え、微生物のうち特定微生物群を優占化する生物処理助剤が充填されたリアクター１７を生物処理設備に備えるとともに、リアクターによって特定微生物群が優占化された汚泥を脱水設備１３で脱水処理される前の有機性廃水に供給するように構成されている。【選択図】図１
2015188817.tif 000002
【特許請求の範囲】
【請求項１】
有機性廃水である浄化槽汚泥を受け入れる浄化槽汚泥受入槽と、前記浄化槽汚泥受入槽に受け入れられた有機性廃水を脱水処理する脱水設備と、前記脱水設備で固液分離された有機性廃水を微生物によって生物処理する生物処理設備とを備えている廃水処理設備であって、
前記微生物のうち特定微生物群を優占化する生物処理助剤が充填されたリアクターを前記生物処理設備に備えるとともに、
前記リアクターによって特定微生物群が優占化された汚泥を前記脱水設備で脱水処理される前の有機性廃水に供給する廃水処理設備。
【請求項２】
前記脱水設備よりも上流側に接触処理設備を備え、前記リアクターによって特定微生物群が優占化された汚泥を前記接触処理設備へ供給する請求項１記載の廃水処理設備。
【請求項３】
前記生物処理設備で発生し前記リアクターによって特定微生物群が優占化された汚泥を前記浄化槽汚泥受入槽に供給する第１汚泥供給機構を備えている請求項１または２記載の廃水処理設備。
【請求項４】
有機性廃水であるし尿を受け入れるし尿受入槽をさらに備え、前記し尿受入槽の有機性廃水を前記接触処理設備で当該特定微生物群と接触処理するように構成されている請求項１から３の何れかに記載の廃水処理設備。
【請求項５】
有機性廃水であるし尿を受け入れるし尿受入槽をさらに備え、前記し尿受入槽に受け入れられたし尿を前記生物処理設備で生物処理する請求項１から３の何れかに記載の廃水処理設備。
【請求項６】
前記生物処理設備で発生し前記リアクターによって特定微生物群が優占化された汚泥を前記し尿受入槽に供給する第２汚泥供給機構を備えている請求項４または５記載の廃水処理設備。
【請求項７】
前記接触処理設備は、少なくとも有機性廃水に含まれる固形物を特定微生物群が優占化された汚泥と接触させる接触処理槽と、前記接触処理槽に特定微生物群が優占化された汚泥を供給する第３汚泥供給機構とを備えている請求項１から６の何れかに記載の廃水処理設備。
【請求項８】
前記接触処理槽の有機性廃水に曝気する曝気機構を備えている請求項７記載の廃水処理設備。
【請求項９】
有機性廃水である浄化槽汚泥を受け入れて脱水処理し、前記脱水処理で固液分離された有機性廃水を微生物によって生物処理する廃水処理方法であって、
前記生物処理の過程で生物処理助剤と接触させて特定微生物群を優占化する特定微生物群優占化処理と、前記生物処理の過程で発生した特定微生物群を含む汚泥を前記脱水処理前の有機性廃水に供給して接触させる廃水処理方法。
【請求項１０】
前記脱水処理される有機性廃水にし尿がさらに含まれている請求項９記載の廃水処理方法。
【発明の詳細な説明】
【技術分野】
【０００１】
本発明は、有機性廃水を生物処理する廃水処理設備及び廃水処理方法に関する。
【背景技術】
【０００２】
浄化槽汚泥やし尿等の有機性廃水は、受入槽に受け入れられた後に前貯留槽に前貯留され、脱水設備で固形分が分離された後の有機性廃水が生物処理設備で微生物によって生物処理されている。脱水設備で固形分が分離された固形分は、焼却処理されるか、助燃剤または肥料として再利用されている。
【０００３】
特許文献１には、浄化槽汚泥の安定化、生し尿中の有機物、特に高分子有機物の分解を向上させ、悪臭を発生させず、固液分離性を向上させることができるし尿処理装置を提供することを目的とするし尿廃水の処理装置が提案されている。
【０００４】
当該し尿廃水の処理装置は、生し尿と浄化槽汚泥を含むし尿廃水を導入して脱リン剤を含む添加剤を添加混合する添加部と、該添加部で添加剤が添加混合されたし尿廃水を導入して酸化処理する前反応手段と、該前反応手段で処理された廃水を上澄み液と汚泥に固液分離する汚泥沈降槽と、該汚泥沈降槽で分離された汚泥を脱水する脱水手段と、前記汚泥沈降槽で分離された上澄み液を導入して硝化脱窒処理する反応手段と、該反応手段から送られる懸濁液を汚泥と処理液に固液分離する固液分離手段とを有し、且つ前記反応手段内で発生する余剰汚泥を前記添加部あるいはその前工程に返送する返送手段を備えている。
【０００５】
そして、添加剤としてシリカ成分を含む添加剤を用いることにより、前反応手段内で高分子有機物の分解性に優れる通性嫌気性の有用細菌が優先種となるように調整して性状を安定化させ、汚泥沈降槽での汚泥の固液分離性を向上させることで、脱水手段により脱水すべき汚泥量を結果的に減少させている。
【先行技術文献】
【特許文献】
【０００６】
【特許文献１】特開平１１−３３５９１号公報
【発明の概要】
【発明が解決しようとする課題】
【０００７】
特許文献１に記載されたし尿廃水の処理装置は、散気管等で酸素が供給される前反応手段で脱リン及び有機物の酸化分解が促進されることにより、後段の硝化脱窒処理槽での有機物負荷が軽減されるのであるが、シリカ成分を含む添加剤によって優先種となった通性嫌気性の有用細菌の大半が脱水手段によって固形物とともに分離除去されるので、後段の反応手段で通性嫌気性の有用細菌が優先種とならず、硝化脱窒処理の効率がそれほど向上せず、余剰汚泥量が増加するという問題があった。
【０００８】
本発明の目的は、上述した問題点に鑑み、固液分離後の廃液の処理効率を向上させるとともに余剰汚泥の発生量を低減させながらも、固液分離された固形分の発生量を低減させることができる廃水処理設備及び廃水処理方法を提供する点にある。
【課題を解決するための手段】
【０００９】
上述の目的を達成するため、本発明による廃水処理設備の第一特徴構成は、特許請求項範囲の請求項１に記載した通り、有機性廃水である浄化槽汚泥を受け入れる浄化槽汚泥受入槽と、前記浄化槽汚泥受入槽に受け入れられた有機性廃水を脱水処理する脱水設備と、前記脱水設備で固液分離された有機性廃水を微生物によって生物処理する生物処理設備とを備えている廃水処理設備であって、前記微生物のうち特定微生物群を優占化する生物処理助剤が充填されたリアクターを前記生物処理設備に備えるとともに、前記リアクターによって特定微生物群が優占化された汚泥を前記脱水設備で脱水処理される前の有機性廃水に供給する点にある。
【００１０】
生物処理設備に備えたリアクターから溶出した生物処理助剤によって活性汚泥を構成する微生物叢が変化し、特定微生物群が優占化されることによって、生物処理設備で廃水に対する当該特定微生物群による生物処理が促進されるとともに、余剰汚泥の発生量が低減するようになる。さらに、脱水設備で脱水処理される前の有機性廃水が当該優占化された特定微生物群と接触するので、浄化槽汚泥に含まれる僅かな有機性固形成分であるタンパク質、デンプン、脂質等が悪臭の発生を伴うことなく効率的に分解され減容化されるとともに、余剰の特定微生物群の自己分解が促進される。その結果、脱水設備で固液分離された固形分、つまり脱水ケーキの大幅な減量化が達成できるとともに、その脱水ケーキが悪臭を放つことも回避できるようになる。しかも、脱水設備で固液分離された液分は、予め特定微生物群が優占化された生物処理設備で生物処理されるので、脱水処理によって特定微生物群が殆ど除去されていても、何らの影響を受けることもない。
【００１１】
同第二の特徴構成は、同請求項２に記載した通り、上述の第一の特徴構成に加えて、前記脱水設備よりも上流側に接触処理設備を備え、前記リアクターによって特定微生物群が優占化された汚泥を前記接触処理設備へ供給する点にある。
【００１２】
脱水設備で脱水処理される前の有機性廃水が接触処理設備において当該優占化された特定微生物群と接触することにより安定的に且つ効率的に分解され減容化される。
【００１３】
同第三の特徴構成は、同請求項３に記載した通り、上述の第一または第二の特徴構成に加えて、前記生物処理設備で発生し前記リアクターによって特定微生物群が優占化された汚泥を前記浄化槽汚泥受入槽に供給する第１汚泥供給機構を備えている点にある。
【００１４】
生物処理設備で特定微生物群が優占化された汚泥が第１汚泥供給機構によって浄化槽汚泥受入槽に供給されると、浄化槽汚泥受入槽内の汚泥が特定微生物群の作用により、腐敗化が進行した汚泥であっても悪臭の発生が効果的に抑制されるようになる。
【００１５】
同第四の特徴構成は、同請求項４に記載した通り、上述の第一から第三の何れかの特徴構成に加えて、有機性廃水であるし尿を受け入れるし尿受入槽をさらに備え、前記し尿受入槽の有機性廃水を前記接触処理設備で当該特定微生物群と接触処理するように構成されている点にある。
【００１６】
有機性廃水が浄化槽汚泥のみならずし尿を含む場合にも、脱水設備で脱水処理される前の有機性廃水が当該優占化された特定微生物群と接触処理されるので、浄化槽汚泥及びし尿に含まれる有機性固形成分であるタンパク質、デンプン、脂質等が悪臭の発生を伴うことなく効率的に分解され減容化されるとともに、汚泥中の微生物群の自己分解が促進される。その結果、脱水設備で固液分離された固形分、つまり脱水ケーキの大幅な減量化が達成できるとともに、その脱水ケーキが悪臭を放つことも回避できるようになる。
【００１７】
同第五の特徴構成は、同請求項５に記載した通り、上述の第一から第三の何れかの特徴構成に加えて、有機性廃水であるし尿を受け入れるし尿受入槽をさらに備え、前記し尿受入槽に受け入れられたし尿を前記生物処理設備で生物処理する点にある。
【００１８】
有機性廃水が浄化槽汚泥のみならずし尿を含む場合に、し尿受入槽に受け入れたし尿が、特定微生物群が優占化された生物処理設備で生物処理されるので、し尿に含まれる未処理の有機性物質は生物処理設備で特定微生物群の作用により効率的に生物処理されるようになる。
【００１９】
同第六の特徴構成は、同請求項６に記載した通り、上述の第四または第五の特徴構成に加えて、前記生物処理設備で発生し前記リアクターによって特定微生物群が優占化された汚泥を前記し尿受入槽に供給する第２汚泥供給機構を備えている点にある。
【００２０】
特定微生物群が優占化された汚泥が第２汚泥供給機構によってし尿受入槽に供給されると、し尿受入槽でも特定微生物群の作用により、悪臭を放つことなく有機性の固形物が前分解されるようになり、後段の生物処理設備での負荷が軽減されるようになる。
【００２１】
同第七の特徴構成は、同請求項７に記載した通り、上述の第一から第六の何れかの特徴構成に加えて、前記接触処理設備は、少なくとも有機性廃水に含まれる固形物を特定微生物群が優占化された汚泥と接触させる接触処理槽と、前記接触処理槽に特定微生物群が優占化された汚泥を供給する第３汚泥供給機構とを備えている点にある。
【００２２】
生物処理設備に備えたリアクターによって特定微生物群が優占化された汚泥が第３汚泥供給機構を介して接触処理槽に供給され、接触処理槽で特定微生物群によって有機性廃水に含まれる固形分が分解処理されることによって、悪臭を放つことなく減容化される。
【００２３】
同第八の特徴構成は、同請求項８に記載した通り、上述の第七の特徴構成に加えて、前記接触処理槽の有機性廃水に曝気する曝気機構を備えている点にある。
【００２４】
接触処理槽に曝気機構を備え、投入された有機性廃水に曝気すると、特定微生物群による有機性廃水に含まれる固形分の分解がより一層促進されるようになる。
【００２５】
本発明による廃水処理方法の第一の特徴構成は、同請求項９に記載した通り、有機性廃水である浄化槽汚泥を受け入れて脱水処理し、前記脱水処理で固液分離された有機性廃水を微生物によって生物処理する廃水処理方法であって、前記生物処理の過程で生物処理助剤と接触させて特定微生物群を優占化する特定微生物群優占化処理と、前記生物処理の過程で発生した特定微生物群を含む汚泥を前記脱水処理前の有機性廃水に供給して接触させる点にある。
【００２６】
脱水処理前の有機性廃水に優占化された特定微生物群を含む汚泥が供給されることで、有機性廃水の固形分が効率的に分解され、脱水処理で生じる固形分の容量が大きく低下するようになる。脱水処理で特定微生物群を含む汚泥が固形分とともに除去された液分であっても、特定微生物群優占化処理によって優占化された特定微生物群によって効率的に生物処理が行なわれ、その結果、生物処理で発生する余剰汚泥の量も減量化される。
【００２７】
同第二の特徴構成は、同請求項１０に記載した通り、上述の第一の特徴構成に加えて、前記脱水処理される有機性廃水にし尿がさらに含まれている点にある。
有機性廃水として、浄化槽汚泥に加えてし尿が含まれる場合でも、同様に脱水処理前の有機性廃水に優占化された特定微生物群を含む汚泥が供給されることで、有機性廃水の固形分が効率的に分解され、脱水処理で生じる固形分の容量が大きく低下するようになる。
【発明の効果】
【００２８】
以上説明した通り、本発明によれば、固液分離後の廃液の処理効率を向上させるとともに余剰汚泥の発生量を低減させながらも、固液分離された固形分の発生量を低減させることができる廃水処理設備及び廃水処理方法を提供することができるようになった。
【図面の簡単な説明】
【００２９】
【図１】本発明による廃水処理設備の第一の実施形態の説明図
【図２】（ａ）は槽外型のリアクターの構成図、（ｂ）は槽外型のリアクターに収容される生物処理助剤の説明図
【図３】本発明による廃水処理設備の第二の実施形態の説明図
【図４】本発明による廃水処理設備の第三の実施形態の説明図
【図５】本発明による廃水処理設備の第四の実施形態の説明図
【図６】本発明による廃水処理設備の第五の実施形態の説明図
【図７】本発明による廃水処理設備の第六の実施形態の説明図
【発明を実施するための形態】
【００３０】
以下、本発明による廃水処理設備及び廃水処理方法の実施形態を説明する。
図１に示すように、廃水処理設備１は、搬入された有機性廃水である浄化槽汚泥を受け入れて一時貯留する浄化槽汚泥受入槽１０と、受け入れた浄化槽汚泥からし渣等を除去する除渣設備１１と、し渣等が除去された浄化槽汚泥を前貯留する前貯留槽１２と、前貯留された浄化槽汚泥を脱水する脱水設備１３と、脱水後の液分である廃水を貯留する貯留槽１４と、貯留された廃水を生物処理する生物処理槽１５と、生物処理後の廃水を固液分離する固液分離槽１６を備えている。
【００３１】
生物処理槽１５と固液分離槽１６で生物処理設備が構成されている。生物処理槽１５として硝化・脱窒法で廃水を処理する嫌気性処理槽と好気性処理槽が設けられ、固液分離槽１６として底部に散気装置を備えた膜分離装置が浸漬された膜分離槽が設けられている。生物処理後の廃水から膜分離装置でろ過された透過液が取り出され、高度処理後、河川等へ放流される。
【００３２】
尚、生物処理槽１５の構成はこの例に限るものではなく、生物処理槽１５として活性汚泥法を採用する好気性処理槽のみが設けられた構成や、嫌気性処理と好気性処理を１槽で構成した深層反応槽等が設けられた構成であってもよい。また、固液分離槽１６も沈殿槽で構成されていてもよい。
【００３３】
生物処理設備１５，１６には、活性汚泥を構成する微生物のうち特定微生物群を優占化する生物処理助剤が充填された槽外型のリアクター１７が設けられている。固液分離槽１６の余剰汚泥の一部を生物処理槽１５に返送する第１汚泥返送経路Ｌ１に分岐路Ｌｄが設けられ、当該分岐路ＬｄにバルブＶ１を介してリアクター１７が設置されている。バルブＶ１はリアクターの添加濃度の調整等に用いられる。
【００３４】
図２（ａ），（ｂ）に示すように、槽外型のリアクター１７は、汚泥が通流するようにメッシュ状の容器で構成された生物処理助剤保持部１７ａと、汚泥滞留槽１７ｂと、分岐路Ｌｄが接続される流入管１７ｃ、流出管１７ｃ’及びドレイン管１７ｄと、汚泥滞留槽１７ｂ内で生物処理助剤保持部１７ａに汚泥を循環供給する循環機構１７ｅとしての散気装置等を備えている。尚、管路１７ｃが流出管、管路１７ｃ’が流入管として構成されていてももよい。
【００３５】
生物処理助剤として、ペレット状に成形した腐植成分やミネラル塊、詳しくは腐植、腐植抽出物、フミン酸、フルボ酸、珪砂、珪石等のうちの一種または複数種が用いられる。このような成分からなる生物処理助剤に汚泥が接触すると通性嫌気性菌である土壌微生物群が優占化され、例えばバチルス属細菌のような土壌微生物群が優占化される。
【００３６】
リアクター１７によって生物処理助剤に接触した汚泥が生物処理槽１５に返送されると、生物処理槽１５で通性嫌気性菌である土壌微生物群である特定微生物群が優占化され、当該特定微生物群によって硝化・脱窒等の生物処理が行なわれる。その過程で当該特定微生物群が固液分離槽１６に廃水とともに流入し、さらに第１汚泥返送経路Ｌ１を介して循環する。
【００３７】
廃水処理設備１には、さらに生物処理設備で発生しリアクター１７によって特定微生物群が優占化された汚泥を脱水設備１３で脱水処理される前の有機性廃水に供給して接触処理する接触処理設備２０を備えている。
【００３８】
接触処理設備２０は、除渣設備１１と前貯留槽１２との間に設けた接触処理槽２０ａと、接触処理槽２０ａに特定微生物群が優占化された汚泥を供給する第３汚泥供給機構２０ｂとを備えて構成されている。固液分離槽１６で取り出された余剰汚泥を接触処理槽２０ａに供給する余剰汚泥供給経路Ｌ２と、生物処理槽１５から引抜いた汚泥を接触処理槽２０ａに供給する第２汚泥返送経路Ｌ３の何れか一方または双方で第３汚泥供給機構２０ｂが構成されている。
【００３９】
接触処理槽２０ａでは、除渣設備１１でし渣等が除去された浄化槽汚泥と第３汚泥供給機構２０ｂから供給された特定微生物群が混合されて１日から３日程度の間接触処理される。接触処理では、優占化された特定微生物群によって浄化槽汚泥に含まれている未分解の若干の有機性固形物が分解処理されてその固形分が減容化されるとともに悪臭の発生原因菌が減少して悪臭が低減される。
【００４０】
この時、ブロワーＢに接続された散気装置２０ｃを接触処理槽２０ａに備えて、槽内を好気性の条件に保つことがより好ましく、散気することにより減容効果が高くなる。
【００４１】
接触処理槽２０ａで接触処理された浄化槽汚泥は、前貯留槽１２で貯留された後に脱水設備１３で脱水処理され、固形分である脱水汚泥と液分である廃水とに分離され、廃水は貯留槽１４に貯留されて後段の生物処理槽に定量供給される。脱水設備１３としてスクリュープレス脱水機、遠心脱水機、フィルタプレス脱水機等、或いは汚泥沈降槽が好適に用いられる。
【００４２】
脱水された脱水汚泥は焼却され、或いは助燃剤または肥料として再利用される。接触処理槽２０ａで接触処理することにより、脱水汚泥の量が大幅に減少する。例えば、散気装置２０ｃからの吹込み空気量が８００ｇ−Ｏ２／ｍ３・日以上で２日程度接触処理すると、接触処理しない場合に比べて汚泥量が３０％減少するという結果が得られている。また、散気装置２０ｃを用いない場合には汚泥の減少効果は低下するが、接触処理を行わない場合に比べて顕著な汚泥減少効果が得られることが確認されている。
【００４３】
尚、本実施形態では、除渣設備１１と前貯留槽１２との間に接触処理槽２０ａを設けた例を説明したが、前貯留槽１２に接触処理槽２０ａとしての機能を備えてもよく、少なくとも特定微生物群が優占化された汚泥を脱水設備１３で脱水処理される前の有機性廃水に供給して接触処理するような構成を備えていればよい。
【００４４】
脱水設備１３で脱水処理されることにより、液分である廃水に含まれる特定微生物群は極めて少なくなるが、生物処理槽１５には、リアクター１７によって特定微生物群が優占化されているので、その後の硝化・脱窒処理には支障を来すことが無い。
【００４５】
さらに、図３に示すように、第３汚泥供給機構２０ｂから供給される汚泥を浄化槽汚泥受入槽１０に供給する第１汚泥供給機構２１を備えていることが好ましく、生物処理設備で特定微生物群が優占化された汚泥が第１汚泥供給機構２１によって浄化槽汚泥受入槽１０に供給されると、浄化槽汚泥受入槽１０内で優占化した特定微生物群が脱臭剤として機能し、腐敗化が進行した汚泥であっても悪臭の発生が効果的に抑制されるようになる。図３では、第１汚泥供給機構２１によって供給される汚泥が第２汚泥返送経路Ｌ３から供給される態様が示されているが、余剰汚泥供給経路Ｌ２から供給される構成であってもよいし、双方から供給される構成であってもよい。
【００４６】
以上の説明では、生物処理設備１５，１６に槽外型のリアクター１７を備えた例を説明したが、図１及び図３に破線で示すように、生物処理槽１５または固液分離槽１６に浸漬型のリアクターを備えてもよい。尚、浸漬型のリアクターは活性汚泥を構成する微生物のうち特定微生物群を優占化する生物処理助剤が充填されたメッシュ状の容器で構成すればよい。
【００４７】
図４には、有機性廃水として浄化槽汚泥に加えてし尿が含まれる場合の態様が示されている。本例では、し尿を受け入れるし尿受入槽３０と、受け入れたし尿からし渣を除去する除渣設備３１がさらに設けられている。そして、し渣が除去されたし尿は、浄化槽汚泥とともに接触処理槽２０ａで接触処理されるように構成されている。
【００４８】
し尿の量が浄化槽汚泥に比べて相対的に少ない場合には、脱水設備１３で脱水処理される前のし尿も浄化槽汚泥とともに優占化された特定微生物群によって接触処理されるように構成されているので、浄化槽汚泥及びし尿に含まれる有機性固形成分であるタンパク質、デンプン、脂質等が悪臭の発生を伴うことなく効率的に分解され減容化されるとともに、汚泥中の微生物群の自己分解が促進される。
【００４９】
その結果、脱水設備で固液分離された固形分、つまり脱水ケーキの大幅な減量化が達成できるとともに、その脱水ケーキが悪臭を放つことも回避できるようになる。尚、し尿の量が浄化槽汚泥に比べて相対的に少ない場合とは、し尿の量が浄化槽汚泥の量の約３０％未満である場合をいう。
【００５０】
図５に示すように、この場合にも第３汚泥供給機構２０ｂ（Ｌ２，Ｌ３）から供給される汚泥を浄化槽汚泥受入槽１０に供給する第１汚泥供給機構２１を備えていることが好ましく、さらに第３汚泥供給機構２０ｂ（Ｌ２，Ｌ３）から供給される汚泥をし尿受入槽３０に供給する第２汚泥供給機構２２を備えていることが好ましい。し尿受入槽３０内のし尿が特定微生物群の作用により、硫化水素系、アミン系、メルカプタン系等の臭気の発生が効果的に抑制されるようになる。
【００５１】
図６には、有機性廃水として浄化槽汚泥に加えてし尿が含まれる場合の別の態様が示されている。本例では、し尿を受け入れるし尿受入槽３０と、受け入れたし尿からし渣を除去する除渣設備３１と、し渣が除去されたし尿を貯留するし尿貯留槽３２がさらに設けられている。そして、し尿貯留槽３２に貯留されたし尿は、生物処理設備１５，１６で生物処理されるように構成されている。
【００５２】
有機性廃水が浄化槽汚泥のみならず比較的多量のし尿を含む場合に、し尿受入槽３０に受け入れたし尿が、特定微生物が優占化した生物処理設備１５，１６で生物処理されるので、し尿に含まれる未処理の有機性物質は生物処理設備１５，１６で効率的に生物処理されるようになる。比較的多量のし尿を含む場合とは、し尿の量が浄化槽汚泥の量の約３０％以上である場合をいう。
【００５３】
図７に示すように、この場合にも第３汚泥供給機構２０ｂ（Ｌ２，Ｌ３）から供給される汚泥を浄化槽汚泥受入槽１０に供給する第１汚泥供給機構２１を備えていることが好ましく、さらに第３汚泥供給機構２０ｂ（Ｌ２，Ｌ３）から供給される汚泥をし尿受入槽３０に供給する第２汚泥供給機構２２を備えていることが好ましい。
【００５４】
特定微生物群が優占化された汚泥が第２汚泥供給機構２２によってし尿受入槽３０に供給されると、し尿受入槽で優占化した特定微生物群が脱臭剤として機能し、硫化水素系、アミン系、メルカプタン系等の臭気が原因となる悪臭を放つことなく有機性の固形物が前分解されるようになり、後段の生物処理設備１５，１６での負荷が軽減されるようになる。
【００５５】
以上説明した廃水処理設備１によって、有機性廃水である浄化槽汚泥を受け入れて脱水処理し、前記脱水処理で固液分離された有機性廃水を微生物によって生物処理する廃水処理方法が実行される。即ち、生物処理の過程で生物処理助剤に接触させて特定微生物群を優占化する特定微生物群優占化処理と、生物処理の過程で発生した特定微生物群を含む汚泥を脱水処理前の有機性廃水に供給して接触処理する廃水処理方法である。また、脱水処理される有機性廃水にし尿がさらに含まれている場合でも同様である。
【００５６】
当該廃水処理方法によれば、脱水処理前の有機性廃水に優占化された特定微生物群を含む汚泥が供給されることで、有機性廃水の固形分が効率的に分解され、脱水処理で生じる固形分の容量が大きく低下するようになる。脱水処理で特定微生物群を含む汚泥が固形分とともに除去された液分であっても、特定微生物群優占化処理によって優占化された特定微生物群によって効率的に生物処理が行なわれ、その結果、生物処理で発生する余剰汚泥の量も減量化される。
【００５７】
以上説明した実施形態は、本発明の一例を示したものであり、本発明の技術的範囲が当該実施形態に限定されることはなく、リアクターの具体的構成、生物処理設備１５，１６等の具体的構成、各泥供給機構等は、本発明の作用効果を奏する範囲で変更設計することが可能である。
【符号の説明】
【００５８】
１：廃水処理設備
１０：浄化槽汚泥受入槽
１５：生物処理槽（生物処理設備）
１６：固液分離槽（生物処理設備）
１７：リアクター
２０：接触処理設備
２０ａ：接触処理槽
２０ｂ：第３汚泥供給機構
２０ｃ：散気装置
２１：第１汚泥供給機構
２２：第２汚泥供給機構
【図１】
2015188817.tif 000003
【図２】
2015188817.tif 000004
【図３】
2015188817.tif 000005
【図４】
2015188817.tif 000006
【図５】
2015188817.tif 000007
【図６】
2015188817.tif 000008
【図７】
2015188817.tif 000009